(57)【要約】【課題】  タッチボタンの数が多くなり、タッチボタンの表示面積が小さくなっても誤タッチすることなく、正確に目的のタッチボタンを選択タッチすることができるタッチパネル入力装置を提供すること。【解決手段】  タッチパネル制御装置１１には、入力手段５がタッチパネル４上の選択タッチボタン３に接近したかを判定する接近判定手段１１−１と、前記入力手段５が前記タッチパネル４上の選択タッチボタン３Ａにタッチしたかを判定するタッチ判定手段１１−２と、さらに、前記入力手段５が前記タッチパネル４上の選択タッチボタン３Ａから離れたかを判定する離反判定手段１１−３と、前記入力手段５の接近に合わせて選択タッチボタン３Ａの表示を拡大させる拡大表示手段１１−４と、前記入力手段５が選択タッチボタン３Ａにタッチしたと判断された時、そのタッチ位置の座標範囲を拡大させる座標拡大手段１１−５とを備えている。【選択図】図４
2010092219.tif 000002
【特許請求の範囲】
【請求項１】
表示画面上に複数個のタッチボタン配列が表示された表示装置と、この表示装置の表示画面上に表示された複数個のタッチボタンのいずれかに入力手段がタッチされたとき、タッチされたボタンの位置座標を検出して出力するタッチパネル制御装置とを備え、前記タッチパネル制御装置は、前記入力手段が前記タッチパネル上のタッチボタンに接近したことを判定する接近判定手段と、前記入力手段が前記タッチパネル上の選択タッチボタンにタッチしたことを判定するタッチ判定手段と、前記入力手段が前記タッチパネル上の選択タッチボタンから離れたことを判定する離反判定手段と、前記入力手段が選択されたタッチボタンに接近したとき、選択されたタッチボタン拡大表示させる拡大表示手段と、前記入力手段が選択タッチボタンにタッチしたと判断された時、そのタッチボタンの位置座標範囲を拡大させる座標拡大手段とを備えたことを特徴とするタッチパネル入力装置。
【請求項２】
前記拡大表示手段は、拡大表示された選択タッチボタンに隣接したタッチボタンを完全に覆わない機能を有することを特徴とする請求項１記載のタッチパネル入力装置。
【請求項３】
前記タッチパネル制御装置が有する接近判定手段とタッチ判定手段、および離反判定手段が、第１のしきい値と第２のしきい値とを持った静電容量方式であることを特徴とする請求項１記載のタッチパネル入力装置。
【請求項４】
前記第１のしきい値と第２のしきい値とに、ある静電容量の幅を持たせたことを特徴とする請求項３記載のタッチパネル入力装置。
【請求項５】
前記入力手段が前記表示画面に接近した場合に、光を遮断することにより前記表示画面上の位置を検出する光センサーパネルであることを特徴とする請求項１記載のタッチパネル入力装置。
【発明の詳細な説明】
【技術分野】
【０００１】
本発明は、コンピュータへの入力手段として、表示画面上に複数個のタッチボタンを表示させ、これらのタッチボタンの一つを選択してタッチすることによって、情報入力を行うタッチパネル入力装置に関する。
【背景技術】
【０００２】
従来、この種のタッチパネル入力装置においては、指やタッチペンなどの入力手段により、表示装置画面上に表示されたタッチボタン群から、目的のタッチボタンを選択してタッチすることにより入力していた。
【０００３】
この場合、タッチボタンは、図形や文字などで表示されていて、入力者からは指示内容が視認できるようになっている。そして、あるタッチボタンがタッチされたかどうかの判定は、通常、表示されているタッチボタンの表示座標範囲内に、入力手段がタッチされたかどうかによって行われている。
【０００４】
この時、タッチされたタッチボタンの画面上の水平（Ｘ）および垂直（Ｙ）座標がコンピュータに送られ、コンピュータではどのタッチボタンが選択されたかを知ることができる。
【発明の開示】
【発明が解決しようとする課題】
【０００５】
しかしこのような従来のタッチパネル入力装置においては、画面上に表示されるタッチボタンの数が増えたり、あるいは、表示する画面のサイズが小さくなったりすると、タッチボタンの表示面積が小さくなる。その結果、視認性が悪くなるとともに、タッチボタンの表示座標範囲内に正確にタッチすることが難しくなり、誤って隣のタッチタッチボタンにタッチし入力ミスを生ずるという問題が発生していた。
【０００６】
そこで、本発明の目的は、たとえ、タッチボタンの数が多くなり、タッチボタンの表示面積が小さくなるとともに隣接するタッチボタンとの間隔が小さくなっても、誤タッチすることなく、正確に目的のタッチボタンを選択タッチすることができるタッチパネル入力装置を得ることにある。
【課題を解決するための手段】
【０００７】
本発明のタッチパネル入力装置は、表示画面上に複数個のタッチボタン配列が表示された表示装置と、この表示装置の表示画面上に表示された複数個のタッチボタンのいずれかに入力手段がタッチされたとき、タッチされた場所の位置座標を検出して出力するタッチパネル制御装置とを備え、前記タッチパネル制御装置は、前記入力手段が前記タッチパネル上のタッチボタンに接近したことを判定する接近判定手段と、前記入力手段が前記タッチパネル上の選択タッチボタンにタッチしたことを判定するタッチ判定手段と、前記入力手段が前記タッチパネル上の選択タッチボタンから離れたことを判定する離反判定手段と、前記入力手段が選択されたタッチボタンに接近したとき、選択されたタッチボタン拡大表示させる拡大表示手段と、前記入力手段が選択タッチボタンにタッチしたと判断された時、そのタッチボタンの位置座標範囲を拡大させる座標拡大手段とを備えたことを特徴とするものである。
【０００８】
また、本発明のタッチパネル入力装置においては、前記拡大表示手段は、拡大表示された選択タッチボタンに隣接したタッチボタンを完全に覆わない範囲内で拡大することを特徴とするものである。
【０００９】
さらに、本発明のタッチパネル入力装置においては、前記接近判定手段、タッチ判定手段および離反判定手段が、第１のしきい値および第２のしきい値を持った静電容量方式であることを特徴とするものである。
【００１０】
さらに、本発明のタッチパネル入力装置においては、前記第１のしきい値と第２のしきい値とに、ある静電容量の幅を持たせたことを特徴とするものである。
【００１１】
さらに、本発明のタッチパネル入力装置においては、コンピュータとタッチ位置座標通信ケーブルを介して接続されている光センサー制御装置およびタッチパネル制御装置を備えた表示装置と、この表示装置の表示画面上に設けられ、且つ、予め決められた数のＸＹ座標で構成されていて、その出力が前記タッチパネル制御装置に接続されているタッチパネルと、このタッチパネルの画面上に、光ビームによるＸＹ座標を形成している光センサーパネルとを備えた情報入力装置において、前記光センサー制御装置には、入力手段が前記光センサーパネル上の選択タッチボタンに接近したかを判定する接近判定手段と、前記入力手段が前記光センサーパネル上の選択タッチボタンから離れたかを判定する離反判定手段とが備えられ、また、前記コンピュータには、前記光センサー制御装置からの出力を受けて、前記入力手段の接近に合わせて選択タッチボタンの表示を拡大させる拡大表示手段と、前記入力手段が選択タッチボタンにタッチしたと判断された時、そのタッチ位置の座標範囲を拡大させる座標拡大手段と、を備えたことを特徴とするものである。
【発明の効果】
【００１２】
本発明によれば、指などの入力手段がある程度の距離まで接近すると、その接近状況を判断して、選択された目的のタッチボタンが拡大表示されるので、タッチボタンの数が増えたり、表示画面が小さくなったりして、タッチボタンが見難くい場合でも、入力者は目的のタッチボタンを間違えることなくタッチすることができ、さらに、その拡大表示に合った座標範囲でタッチパネルの座標も拡大されるので、誤入力も無くなり、入力操作の作業効率が著しく向上する。
【００１３】
また、本発明によれば、入力手段のタッチパネルへの接近およびタッチなどの判定手段に静電容量の変化量を利用し、その変化量に２つのしきい値を設けているので、タッチパネルへの入力手段の接近およびタッチ判定が正確に行われる。
【００１４】
さらに、本発明によれば、前記２つのしきい値にある幅を持たせることにより、入力手段の種類によって静電容量の変化量に差が出ても、タッチパネルへの入力手段の接近およびタッチ判定を、正確に、行うことができる。
【００１５】
さらに、本発明によれば、タッチパネルが前記入力手段の接近を判定できない場合、光センサーパネルを用いることで判定することができる。
【発明を実施するための最良の形態】
【００１６】
以下、本発明の実施形態につき、図面を用いて詳細に説明する。
【００１７】
図１は、本発明によるタッチパネル入力装置の一実施形態を示す全体構成図であり、図２はその機能を説明するためのブロック図である。図示のように、コンピュータ１とコンピュータ１への入力装置であるタッチパネル入力装置２から構成されている。タッチパネル入力装置２は、画像表示装置の表示画面上に複数個のタッチボタン３が配列表示されたタッチパネル４により構成されている。タッチパネル４は表示された複数個のタッチボタン３のいずれかにたとえば人の指のような入力手段５がタッチされたとき、タッチボタン３と入力手段５との間の静電容量の変化を検出し、タッチされた場所の位置座標を出力するタッチパネル制御装置（後述する。）を備えている。タッチパネル入力装置２はケーブル６によりコンピュータ１に接続されている。
【００１８】
タッチパネル制御装置１１は図２に示すように、入力手段５が前記タッチパネル上のタッチボタン３に接近したことを判定する接近判定手段１１−１と、前記入力手段が前記タッチパネル上の選択タッチボタンにタッチしたことを判定するタッチ判定手段１１−２と、前記入力手段が前記タッチパネル上の選択タッチボタンから離れたことを判定する離反判定手段１１−３と、前記入力手段が選択されたタッチボタンに接近したとき、選択されたタッチボタン拡大表示させる拡大表示手段１１−４と、前記入力手段が選択タッチボタンにタッチしたと判断された時、そのタッチボタンの位置座標範囲を拡大させる座標拡大手段１１−５を備えている。タッチパネル制御装置１１は、タッチパネル入力装置２内に搭載してもよいが、コンピュータ１内の制御装置においてソフトウェアにより同等な機能を持たせてもよい。
【００１９】
図３は、図１に示したタッチパネル入力装置の動作説明図で、同図（Ａ）は表示画面上に複数のタッチボタンが表示されている状態を示す平面図、同図（Ｂ）は入力手段で１つのタッチボタンにタッチした状態を示す平面図である。
【００２０】
同図において、タッチパネル４上には、例えば３行３列に配置されたタッチボタン３が表示されている。この状態において、同図（Ｂ）に示したように、最下段中央のタッチボタン３Ａを選択して入力手段（指）５をある距離まで接近させると、拡大表示手段１１−４により接近されたタッチボタン３Ａが拡大表示される。
【００２１】
それと同時に、タッチされたタッチボタン３Ａがタッチされたと判定するためのタッチパネル４上の座標範囲も、拡大表示されたタッチボタン３Ａに対応した範囲に拡大される。
【００２２】
このように、選択されたタッチボタン３Ａが拡大表示されるので、視認性が良くなり、タッチパネル４上の座標範囲、すなわち、表示画面上のタッチ範囲も拡大されるので、誤って隣接する他のタッチボタン３にタッチすることによる入力ミスをほぼ完全に防止することができる。
【００２３】
ところで、選択されたタッチボタン３Ａが拡大表示される場合、これに隣接するタッチボタンが覆われないように、拡大範囲を制限する必要がある。
【００２４】
図４は、選択されたタッチボタン３Ａの拡大範囲と、そのタッチボタン３Ａに隣接したタッチボタン３Ｂの表示状態を示した説明図で、同図（Ａ）は、選択されたタッチボタン３Ａの拡大表示された平面図、同図（Ｂ）は、選択されたタッチボタン３Ａに隣接するタッチボタン３Ｂの状態を示す平面図、同図（Ｃ）は、選択されたタッチボタン３Ａに隣接したタッチボタン３Ｂが拡大表示された状態を示した平面図である。
【００２５】
まず、同図（Ａ）に示すように、タッチパネル４上に表示されている３行３列に配置されたタッチボタン３のうち、最下段中央のタッチボタン３Ａを選択して入力手段５を接近させると、前述したように、タッチボタン３Ａは拡大表示されるが、隣接する他のタッチボタン３Ｂはすべて覆われず少なくともその一部が見えるようにタッチボタン３Ａの拡大率が調整される。
【００２６】
次に、同図（Ｂ）に示したように、最初にタッチボタン３Ａが拡大表示された場合にも、その後一部が見えている隣接タッチボタン３Ｂを選択して入力手段５を接近させると、同図（Ｃ）に示したように、隣接タッチボタン３Ｂが拡大表示される。しかしこの場合にも、タッチボタン３Ａの一部は視認できるようにその拡大率が調整される。
【００２７】
次に、入力手段がタッチパネルの表示画面に接近した距離の判定方法について、図５および図６を参照して説明する。
【００２８】
図５および図６は、本発明のタッチパネル入力装置のタッチパネル制御装置１１における接近判定手段１１−１、タッチ判定手段１１−２および離反判定手段１１−３として、タッチボタン３と入力手段５との間の静電容量を利用した場合の動作原理を説明するためのグラフである。すなわち、これらの図は、タッチボタン３と入力手段５との間の距離に対する静電容量の変化を示すグラフで、横軸にタッチパネル４上のタッチボタン３と入力手段５との距離が、また、縦軸には静電容量がそれぞれ示されている。なお、横軸の距離は、座標が原点位置０から右方向に増大するとともに小さくなるように表示されている。
【００２９】
図５および図６から分るように、入力手段５とタッチボタン３との距離が所定の距離以上であるとき、すなわち、入力手段５がタッチパネル４から遠く離れていると、静電容量の変化はないが、入力手段５がタッチパネル４に接近し、所定距離７Ａからは静電容量の変化が起き始め、入力手段５がタッチパネル４にタッチした距離地点７Ｂからは、静電容量の変化量が急激に変化して増大している。
【００３０】
そこで、本発明においては、図６に示すように、静電容量の変化量に２つのしきい値を設け、第１のしきい値１では選択したタッチボタンを拡大表示する際の判定に、また、第２のしきい値２では選択したタッチボタンがタッチされた際の判定に、それぞれ使用している。
【００３１】
また、本発明の実施形態においては、入力手段５の種類たとえば人の指あるいはタッチペン等により静電容量の変化の様子に差があることを考慮して、必要に応じて、図５に示すように、前記した第１のしきい値１および第２のしきい値２それぞれにある幅８を持たせている。
【００３２】
次に、本発明によるタッチパネル制御装置およびコンピュータそれぞれの処理手順について図７乃至図１０に示したフローチャートを参照して説明する。まず、図７に示すように、静電容量の変化によって、入力手段の接近状況、すなわち、入力手段の接近が第１のしきい値（図５）を超えたかどうかを判定する（ステップＳ１）。
【００３３】
入力手段が第１のしきい値を超えると、第１のしきい値を超えた位置に最も近い位置の座標ＸＮおよびＹＮを出力し（ステップＳ２）、さらに、第２のしきい値（図５）を超えたこと、すなわち、入力手段５がタッチパネル４にタッチしたことを検知すると（ステップＳ３）、たとえば指のような入力手段５がタッチした位置に最も近い位置の座標ＸＴおよびＹＴを出力する（ステップＳ４）。
【００３４】
一方、入力手段５の第２のしきい値２（図６）を超えたことが検知されなければ、その入力手段５がタッチパネル４から遠く離れたか否かを判定し（ステップＳ５）、最後に接近していた座標から第１のしきい値１を下回ったことが検知されれば、その最後に接近していた位置の座標ＸＦおよびＹＦを出力して（ステップＳ６）、ステップＳ１に戻り、第１のしきい値１を下回ったことが検知されなければ、ステップＳ３に戻る。
【００３５】
説明をステップＳ４に戻す、入力手段５がタッチした位置に最も近い位置の座標ＸＴおよびＹＴの出力後、入力手段５がタッチパネル４から離れたか否かを判定する（ステップＳ７）、その判定結果で、入力手段５が離れたと判断されると、すなわち、第２のしきい値２を下回ったと判断されたら、その直前の最後にタッチしていた位置の座標ＸＬおよびＹＬが出力され（ステップＳ８）、その出力後、ステップＳ５に戻って、入力手段５が、さらに、最後のタッチ位置から遠く離れたか否かを判定する。
【００３６】
一方、前記ステップＳ７で、入力手段５が離れていないと判断されれば、入力手段５がタッチしたまま移動している時の位置の座標ＸＣおよびＹＣを出力して（ステップＳ９）、ステップＳ７に戻り、再度、入力手段５がタッチパネル４から離れたか否かを判定する。
【００３７】
図８は、図１に示すコンピュータ１の処理手順を示したフローチャートである。同図において、先ず、タッチパネル制御装置１１（図２）から座標入力があるか否かを判定し（ステップＳＣ１）、その判定で座標入力ありなら、割込みが発生し（ステップＳＣ２）、第１のしきい値１（図５）を超えた位置に最も近い位置の座標ＸＮおよびＹＮ入力があるか否かが判定される（ステップＳＣ３）。
【００３８】
その判定結果で、入力座標ＸＮおよびＹＮが有りなら、次に、拡大表示された拡大タッチボタンＡｉの有無が判定され（ステップＳＣ４）、その拡大タッチボタンＡｉが有りと判定されたら、さらに、入力座標ＸＮおよびＹＮが前記拡大タッチボタンＡｉ内かが判定される（ステップＳＣ５）。
【００３９】
その判定結果が、拡大タッチボタンＡｉ内であれば、ステップＳＣ１に戻って、座標入力有無の判定が行われる、一方、拡大タッチボタンＡｉ内ではないと判定されたら、拡大タッチボタンＡｉを縮小タッチボタンＡｉに縮小して（ステップＳＣ６）、次の入力座標ＸＮおよびＹＮが縮小タッチボタンＡｉ内に有るか否かの判定処理ルーチンに入る。
【００４０】
ここで、説明をステップＳＣ４に戻す、このステップＳＣ４で拡大タッチボタンＡｉが無いと判定されたら、入力座標ＸＮおよびＹＮが、縮小表示された縮小タッチボタンａ１内にあるかの有無が判定され（ステップＳＣ７）、縮小タッチボタンａｉ内に有りと判定されたら、縮小タッチボタンａ１を拡大タッチボタンＡ１に拡大し（ステップＳＣ８）、ステップＳＣ１に戻る。
【００４１】
一方、ステップＳＣ７で、入力座標ＸＮおよびＹＮが、縮小タッチボタンａ１内に無いと判定されたら、次の縮小タッチボタンａ２内に、入力座標ＸＮおよびＹＮがあるか否かが判定され（ステップＳＣ９）、有りと判定されれば、縮小タッチボタンａ２を拡大タッチボタンＡ２に拡大して（ステップＳＣ１０）、ステップＳＣ１に戻る。
【００４２】
一方、ステップＳＣ９で、入力座標ＸＮおよびＹＮが2番目の縮小タッチボタンａ２内に無いと判定されれば、第3番目の縮小タッチボタンａ3内から、順次、縮小タッチボタンａ４，ａ５，ａ６・・・・・・ａｎ内に、入力座標ＸＮおよびＹＮがあるかの判定がされ、有りと判定された縮小タッチボタンａｎは拡大タッチボタンＡｎに拡大されて（ステップＳＣ１０）、ステップＳＣ１に戻り、また、無いと判定された場合には、ステップＳＣ１０を介さずにそのままステップＳＣ１に戻る。
【００４３】
前記ステップＳＣ３で、第１しきい値１（図５）を超えた位置の入力座標ＸＮおよびＹＮではないと判定されると、次に、図９に示すフローチャート、すなわち、第２しきい値２（図６）を超えた位置の座標入力があるか否かの有無が判定される処理ルーチンに入る。
【００４４】
この処理ルーチンでも、先ず、第２しきい値２を超えた位置の入力座標ＸＴおよびＹＴの有無が判定され（ステップＳＣ１３）、有りと判定されると、次に、拡大タッチボタンＡｉの有無が判定させる（ステップＳＣ１４）。
【００４５】
この判定結果が拡大タッチボタンＡｉ有りであれば、次に、入力座標ＸＴおよびＹＴが拡大タッチボタンＡｉ内かが判定され（ステップＳＣ１５）、拡大タッチボタンＡｉ内に有ると判断されれば、拡大タッチボタンＡｉが選択された時の処理（ステップＳＣ１５）、すなわち、ステップＳＣ１６に戻る。
【００４６】
前記ステップＳＣ１４で、拡大タッチボタンＡｉが無いと判定されると、入力座標ＸＴおよびＹＴが第1番目の縮小タッチボタンａ１内にあるか否かの判定が行われ（ステップＳＣ１７）、縮小タッチボタンａ１内にあると判定されたら、縮小タッチボタンａ１が選択された時の処理（ステップＳＣ１８）を行う。
【００４７】
また、ステップＳＣ１５で、入力座標ＸＴおよびＹＴが拡大タッチボタンＡｉ内に無いと判定されたら、拡大タッチボタンＡｉを縮小タッチボタンａｉに縮小して（ステップＳＣ１９）、ステップＳＣ１７に戻る。
【００４８】
このステップＳＣ１７で、入力座標ＸＴおよびＹＴが第1番目の縮小タッチボタンａ１内に無いと判定されると、座標ＸＴおよびＹＴが第２番目の縮小タッチボタンａ２内にあるか否かの判定が行われ（ステップＳＣ２０）、縮小タッチボタンａ２内にあると判定されれば、縮小タッチボタンａ２が選択された時の処理（ステップＳＣ２１）を行う。
【００４９】
一方、縮小タッチボタンａ２内に無いと判定されれば、第３番目の縮小タッチボタンａ３内から、順次、縮小タッチボタンａ４、ａ５、ａ６、…、ａｎ内に入力座標ＸＴおよびＹＴがあるかの判定が行われる。
【００５０】
前記ステップＳＣ１３で、入力座標がＸＴおよびＹＴではないと判定されると、次に、図１０に示すフローチャートにより、入力手段５がタッチしたまま移動している時の座標ＸＣおよびＹＣが入力（以下、入力座標ＸＣおよびＹＣと呼ぶ）されているか否かの判定が行われる（ステップＳＣ２２）。
【００５１】
その判定の結果、入力座標がＸＣおよびＹＣであると判定されれば、前記したステップＳＣ１以降の処理ルーチンに戻るが、入力座標がＸＣおよびＹＣではないと判定されると、次に、入力手段が離れ、最後にタッチしていた座標、すなわち、第２のしきい値２（図５）を下回った座標ＸＬおよびＹＬが入力（以下、入力座標ＸＬおよびＹＬと呼ぶ）されているか否かの判定が行われる（ステップＳＣ２３）。
【００５２】
この判定で、入力されていると判定されると、前記したステップＳＣ１以降の処理ルーチンに戻るが、入力座標がＸＬおよびＹＬではないと判定されると、次に、入力手段５が離れ、最後にタッチしていた座標、すなわち、第１のしきい値１を下回った座標ＸＦおよびＹＦが入力（以下、入力座標ＸＦおよびＹＦと呼ぶ）されているか否かの判定が行われる（ステップＳＣ２４）。
【００５３】
その結果、入力座標がＸＦおよびＹＦであると判定されたら、さらに、拡大表示された拡大タッチボタンＡｉの有無が判定され（ステップＳＣ２５）、拡大タッチボタンＡｉが有りと判定されたら、拡大タッチボタンＡｉを縮小タッチボタンａｉに縮小して（ステップＳＣ２６）、ステップＳＣ1以降の処理ルーチンに戻るが、一方、拡大タッチボタンＡｉが無いと判定されたら、そのままステップＳＣ1以降の処理ルーチンに戻る。
【００５４】
前記ステップＳＣ２４で、入力座標がＸＦおよびＹＦではないと判定されたら、エラーと判断されてエラー処理が行われる（ステップＳＣ２７）。
【００５５】
図１１は、本発明のタッチパネル入力装置の他の実施形態を示す構成図である。このタッチパネル入力装置においては、入力手段の接近を静電容量の変化に変えて光センサーを用いている。表示装置２４の前面にタッチパネル２５が、さらに、このタッチパネル２５の前面には光センサーパネル２６がそれぞれ設置されており、また、前記表示装置２４の裏面部２４Aには、タッチパネル制御装置２７と光センサー制御装置２８とが設けられている。
【００５６】
この光センサーパネル２６には、その上下および左右（図面に対して）それぞれに光センサー、すなわち、上部および左部それぞれに発光部２９が、また、下部および右部それぞれに受光部３０が設けられていて、光ビームが上下左右で交差する光ビームの升目状態に構成されている。
【００５７】
そして、タッチパネル２５からの出力はタッチパネル制御装置２７に入力され、ここで、タッチ位置のＸＹ座標が判定され、その判定された座標情報はタッチ位置座標通信ケーブル（不図示）を介してコンピュータ（不図示）に送られるようになっている。
【００５８】
また、光センサーパネル２６からの出力は光センサー制御装置２８に入力されて、ここで、上記同様に、光をさえぎった位置のＸＹ座標が判定され、その座標情報は光感知位置座標通信ケーブル２２を介してコンピュータ（不図示）に送られるようになっている。
【００５９】
このようなタッチパネル入力装置において、入力手段が光センサーパネル２６に接近すると、入力手段が光ビームを横切り、光をさえぎるため、受光部３０の出力信号が変化する。
【００６０】
光センサー制御装置２８は、この電気信号の変化を検知して、入力手段の位置が最も近いＸ座標とＹ座標とを決定し、その決定したＸ座標およびＹ座標それぞれは光検知位置座標通信ケーブル２２を介してコンピュータ（図示せず）に送る。    
コンピュータでは、送られてきた座標位置のタッチボタンを拡大表示するか否かを判定する。
【図面の簡単な説明】
【００６１】
【図１】本発明のタッチパネル入力装置の一実施形態を示す全体構成図である。
【図２】図１に示すタッチパネル入力装置の機能構成を説明するためのブロック図である。
【図３】図１に示すタッチパネル入力装置の動作を説明するためのタッチパネルの表示画面を示す図で、同図（Ａ）は、複数個のタッチボタン配列を示す図、同図（Ｂ）は選択されたタッチボタンが拡大表示された平面図である。
【図４】同じく図１に示すタッチパネル入力装置の動作を説明するためのタッチパネルの表示画面を示す図で、同図（Ａ）は、選択されたタッチボタンが拡大表示された平面図、同図（Ｂ）は、選択されたタッチボタンに隣接したタッチボタンを選択する状態を示した平面図、同図（Ｃ）は、選択されたタッチボタンに隣接したタッチボタンが拡大表示された状態を示した平面図である。
【図５】図１に示すタッチパネル入力装置の動作を説明するための図で、入力手段とタッチパネルとの距離とそれらの間の静電容量の変化を示すグラフである。
【図６】同じく図１に示すタッチパネル入力装置の動作を説明するための図で、入力手段とタッチパネルとの距離とそれらの間の静電容量の変化を示すグラフである。
【図７】図１に示すタッチパネル入力装置の動作を説明するためのフローチャートである。
【図８】同じく図１に示すタッチパネル入力装置の動作を説明するためのフローチャートである。
【図９】同じく図１に示すタッチパネル入力装置の動作を説明するためのフローチャートである。
【図１０】同じく図１に示すタッチパネル入力装置の動作を説明するためのフローチャートである。
【図１１】本発明のタッチパネル入力装置の他の実施形態を示す全体構成図である。
【符号の説明】
【００６２】
1、コンピュ−タ
2、タッチパネル入力装置
３、タッチボタン
４、タッチパネル
５、入力手段
６、通信ケーブル
１１、タッチパネル制御装置
【図１】
2010092219.tif 000003
【図２】
2010092219.tif 000004
【図３】
2010092219.tif 000005
【図４】
2010092219.tif 000006
【図５】
2010092219.tif 000007
【図６】
2010092219.tif 000008
【図７】
2010092219.tif 000009
【図８】
2010092219.tif 000010
【図９】
2010092219.tif 000011
【図１０】
2010092219.tif 000012
【図１１】
2010092219.tif 000013